(57)【要約】【課題】  着脱が容易で美観に優れた手提げ部の握り具を提供する。【解決手段】  手提げ部５１に巻きつけ可能な大きさの本体１０を備えた握り具１であって、前記本体１０の表面カバー５の上辺部に設けられた雄側テープ３１と、前記本体１０の裏面カバー２５の下辺部に設けられた雌側テープ２と、前記本体１０の周辺の一部に突出して設けられたレース１１とを備え、前記レース１１は、前記雄側テープ３１の近傍に設けられて前記雌側テープ２の近傍には設けられないことを特徴とする。【選択図】    図６
0003115770.tif 000002
【実用新案登録請求の範囲】
【請求項１】
手提げ部に巻きつけ可能な大きさの本体を備えた手提げ部の握り具であって、
一組の着脱部材の一方として前記本体の表面の一端部に設けられた一方の着脱片と、
前記一組の着脱部材の他方として前記本体の裏面の他端部に設けられた他方の着脱片と、
前記本体の周辺の一部に突出して設けられた装飾体とを備え、
前記装飾体は、前記一方の着脱片の近傍に設けられて前記他方の着脱片の近傍には設けられないことを特徴とする
手提げ部の握り具。
【請求項２】
前記本体を、
内部が中空で略方形のカバー体と、
前記内部に収納されたクッション部材とで構成した
請求項1記載の手提げ部の握り具。
【請求項３】
前記一組の着脱部材を面ファスナとし、
前記装飾体をレースとし、
前記カバー体を布地として、
これらを縫合して構成した
請求項２記載の手提げ部の握り具。
【請求項４】
少なくとも前記一方の着脱片を、前記本体の幅より短く形成した
請求項１、２または３記載の手提げ部の握り具。
【考案の詳細な説明】
【技術分野】
【０００１】
この考案は、例えば手提げ鞄、手提げ紙袋、手提げビニル袋などの手提げ部に取り付けて握るような手提げ部の握り具に関する。
【背景技術】
【０００２】
従来、手提げ鞄、手提げ紙袋、手提げビニル袋などの手提げ部に取り付けて握るような手提げ部の握り具として、全体がナイロン製で表裏の対称端部を面ファスナで着脱可能にしたもの（特許文献１参照）、全体がスポンジ製で一端に粘着材を備えたもの（特許文献２参照）、全体がスポンジ製で表裏の対称端部を面ファスナで着脱可能にしたもの（特許文献３参照）が提案されている。  
これらは、いずれも荷物の重さの軽減や手提げ部の食い込み防止などの効果が得られるものである。
【０００３】
しかし、いずれも全体が方形で、手提げ部に巻きつけてその一片を重合させて面ファスナあるいは粘着材で固着するため、その固着端の美観が損なわれるものであった。
【０００４】
一方、カバーの表裏の対称端部に面ファスナが配設され、カバーの周囲全体にレースが設けられた手提げ鞄用の提げ手カバーが提案されている（特許文献４参照）。  
この手提げ鞄用の提げ手カバーは、周囲全体にレースが設けられているため、固着端がレースによって隠されて外観が損なわれないものと考えられる。
【０００５】
しかし、レースが周囲全体に設けられているため、鞄などの手提げ部に提げ手カバーを巻きつけようとすると、巻きつけ時の内側に存在するレースが、面ファスナに重なるなどして面ファスナの固着を妨げてしまうものであった。
【０００６】
従って、利用者はレースが面ファスナに重ならないように注意する必要があり、これを怠って面ファスナを固着した場合には、間にレースが挟まって面ファスナの固着面積が小さくなり、すぐに外れてしまうことが起こり得るという問題点があった。
【０００７】
【特許文献１】登録実用新案第３１０５３５１号公報
【特許文献２】登録実用新案第３００４５９３号公報
【特許文献３】実開平６−５０５２４号公報
【特許文献４】実開昭４８−８６００２号公報
【考案の開示】
【考案が解決しようとする課題】
【０００８】
この考案は、上述の問題に鑑み、着脱が容易で美観に優れた手提げ部の握り具を提供することを目的とする。
【課題を解決するための手段】
【０００９】
この考案は、手提げ部に巻きつけ可能な大きさの本体を備えた手提げ部の握り具であって、一組の着脱部材の一方として前記本体の表面の一端部に設けられた一方の着脱片と、前記一組の着脱部材の他方として前記本体の裏面の他端部に設けられた他方の着脱片と、前記本体の周辺の一部に突出して設けられた装飾体とを備え、前記装飾体は、前記一方の着脱片の近傍に設けられて前記他方の着脱片の近傍には設けられないことを特徴とする。
【００１０】
前記一組の着脱部材は、鉤状の突起が一面についた布とパイル状の面とで構成される面ファスナ、または、鉤と受け金とで構成される鉤ホック（所謂スナップ）等、着脱可能な適宜の部材で構成することができる。
【００１１】
この考案の態様として、前記本体を、内部が中空で略方形のカバー体と、前記内部に収納されたクッション部材とで構成することができる。
【００１２】
またこの考案の態様として、前記一組の着脱部材を面ファスナとし、前記装飾体をレースとし、前記カバー体を布地として、これらを縫合して構成することができる。
【００１３】
またこの考案の態様として、少なくとも前記一方の着脱片を、前記本体の幅より短く形成することができる。
【考案の効果】
【００１４】
この考案により、着脱が容易で美観に優れた手提げ部の握り具を提供することができる。
【考案を実施するための最良の形態】
【００１５】
この考案の一実施形態を以下図面と共に説明する。  
図１は握り具１の縫合を説明する分解斜視図、図２は握り具１の表面を示す正面図、図３は握り具１の裏面を示す背面図、図４は握り具１の側面を示す右側面図である。
【００１６】
握り具１は、図１に示すように、面ファスナを構成する雌側テープ２と雄側テープ３１、表面カバー５と裏面カバー２５、レース１１、及びクッション部材２１により構成されている。
【００１７】
表面カバー５は、布地によって全体が長方形に形成され、４辺がいずれも同程度の幅だけ内側（図示下方）へ折り返されて縫い代（図示省略）が設けられている。そして、表面には図示省略する模様が描かれている。表面カバー５の表面の下方端部には、縫い目６に示すように下辺に沿って雌側テープ２が縫合される。この雌側テープ２は、表面カバー５の幅（左右方向の横幅）よりも短く形成されており、表面カバー５の左側に寄せることで右側に隙間を空けて縫合される。
【００１８】
同様に裏面カバー２５は、前記表面カバー５と上下対称の形状である。すなわち、布地によって全体が前記表面カバー５と同サイズの長方形に形成され、４辺がいずれも同程度の幅だけ内側（図示上方）へ折り返されて縫い代２６が設けられている。そして、裏面（縫製後に視認できる外面）には図示省略する模様が描かれている。裏面カバー２５の裏面の上方端部には、上辺に沿って雄側テープ３１が縫い目３２に示すように縫合される。この雄側テープ３１は、裏面カバー２５の幅（左右方向の横幅）よりも短く形成されており、裏面カバー２５の右側に寄せることで左側に隙間を空けて縫合される。
【００１９】
前記クッション部材２１は、ウレタン素材により１ｃｍ程度の厚みで手のひらサイズの直方体に形成されている。なお、低反発ウレタンで形成することが好ましい。  
このクッション部材２１と、表面カバー５と裏面カバー２５とにより、本体１０（図２参照）が構成されている。
【００２０】
前記レース１１は、刺繍が施された布であり、握り具１の上辺、左辺、及び右辺の三方に設けられる。すなわち、このレース１１は、縫い目１２が、表面カバー５の図示省略する縫い目と裏面カバー２５の縫い目２７との間に挟まるように３部材があわせて縫合される。
【００２１】
このように各部材を縫合することで、図２〜図４に示す握り具１が完成する。この握り具１は、全体が手のひらサイズの長方形であり、表面の下方には下辺に沿って雌側テープ２（図２参照）が設けられている。裏面の上方には、上辺に沿って雄側テープ３１（図３参照）が設けられている。したがって、図４に示すように雌側テープ２と雄側テープ３１表が表面と裏面の上下に点対称にそれぞれ配設されている。
【００２２】
雌側テープ２の正面視右側には、隙間Ａ（図２参照）が設けられており、雄側テープ３１の背面視右側には、隙間Ｂ（図３参照）が設けられている。従って、握り具１を使用する際に雌側テープ２と雄側テープ３１とをしっかり重ねて固着しても、その左右両端部には非着部が存在することになる。
【００２３】
握り具１の周囲は、雌側テープ２が設けられている下辺部を除いてレース１１が設けられている。このレース１１と表面カバー５の表面の模様により、握り具１は、かわいらしい美観に構成されている。
【００２４】
以上の握り具１は、次のように使用される。  
図５は握り具１を紙袋５０の手提げ部５１に取り付ける途中を示す斜視図であり、図６は握り具１を紙袋５０の手提げ部５１に取り付けた使用状態を示す斜視図である。
【００２５】
まず利用者は、握り具１の裏面カバー２５の上下方向中央位置に紙袋５０の手提げ部５１を載せ、図５に示すように、この手提げ部５１を載せた位置を中心にして握り具１を折り曲げる。このとき、雌側テープ２と雄側テープ３１が近くに位置することになる。
【００２６】
そして、利用者は握り具１の上下両端をさらに曲げ、図６に示すように、雌側テープ２に雄側テープ３１をしっかりと重ならせて固着させる。このとき、握り具１の上辺と下辺は、雌側テープ２を備えた下辺部が内側に巻き込まれ、その外側に上辺部が位置するように取り付けられるのであるが、下辺部にはレース１１が設けられていないため、雌側テープ２と雄側テープ３１の固着を容易に行うことができる。
【００２７】
すなわち、仮に下辺部にもレースがあったとすると、レースは本体１０よりも薄く曲がりやすいため、内側に巻き込まれた下辺部のレースが外側の本体１０の上辺部に押されて雌側テープ２の上に載るように折り曲げられる。そうすると、雌側テープ２に雄側テープ３１を固着しようとする際に下辺部のレースが間に挟まって固着を妨げることになる。
【００２８】
本実施の形態では、下辺部にはレースを設けていないため、このようなことがなく、雌側テープ２と雄側テープ３１との固着を容易に行うことができる。しかも、固着後は上辺部の雄側テープ３１の近傍に設けたレース１１が雌側テープ２と雄側テープ３１の固着部分を覆い隠すため、使用時の美観に優れるという利点が得られる。
【００２９】
このように手提げ部５１に握り具１を取り付けることで、紙袋５０に入れた荷物が重く手提げ部５１が細いような場合であっても、手提げ部５１のクッション部材２１が緩衝部材として機能するため、利用者は握り手が痛くなく快適に荷物を運ぶことができる。
【００３０】
また、握り具１は外面となる表面カバー５が布地で形成されているため、夏場で汗をかくような場合であっても汗を吸収することができる。これにより、握り手が汗で不快になることがなく、快適に荷物を運べる。特に手提げ部５１に腕を通して肘内側にかけて紙袋５０を持つ場合には、汗をかきやすい肘内側で握り具１が汗を吸収するため、非常に快適に荷物を運ぶことができる。  
また、内面となる裏面カバー２５が布地で形成されているため、手提げ部５１に傷をつきけることがなく高級鞄にも安心して使え、さらに、握り具１によって鞄の手提げ部５１に手垢がつくことや手提げ部５１の色が汗で変色することも防止できる。
【００３１】
また、握り具１の素材が布地やウレタンで構成され、それぞれの素材も縫合によって結合されているため、握り具１は家庭で容易に洗濯できる。従って、握り具１は、汗などで汚れてもすぐに洗うことができ、清潔な状態で何度も繰り返し使用することができる。
【００３２】
また、握り具１は、図６に示したように２本の手提げ部５１をひとまとめにして取り付けることができるため、手提げ部５１に腕を通して肩にかけて荷物を運ぶ場合に、片方の手提げ部５１が肩からずり落ちることを防止できる。これにより、利用者は、ずり落ちた手提げ部５１を肩に掛けなおすというわずらわしさから開放され、快適に荷物を運ぶことができる。
【００３３】
また、レース１１は本体１０に比べて充分に柔らかいため、上辺部のレース１１を掴むことで雄側テープ３１を雌側テープ２から剥がすことが容易になる。つまり、レース１１は美観を向上させるだけでなく、握り具１を手提げ部５１から取り外す際の脱着用つまみとしても機能する。
【００３４】
また、雌側テープ２の正面視右側と雄側テープ３１の正面視左側には、それぞれ隙間Ａ，Ｂが形成されているため、使用時にこの隙間Ａ，Ｂの部分がそれぞれ左右両側の非着部となる。このため利用者は、雌側テープ２から雄側テープ３１を剥がす際に、左右いずれの非着部からでも指を入れることができ、本体１０を指で掴んで剥がすことができる。これにより、年配者や手先の不自由な者であっても握り具１を手提げ部５１から容易に取り外すことができる。
【００３５】
この考案の構成と、上述の実施形態との対応において、
この考案の他方の着脱片は、実施形態の雌側テープ２に対応し、
以下同様に、
面ファスナは、雌側テープ２および雄側テープ３１に対応し、
カバー体は、表面カバー５に対応し、
本体の表面は、表面カバー５の外面に対応し、
装飾体は、レース１１に対応し、
本体の裏面は、裏面カバー２５の外面に対応し、
一方の着脱片は、雄側テープ３１に対応するも、
この考案は、上述の実施形態の構成のみに限定されるものではなく、多くの実施の形態を得ることができる。
【図面の簡単な説明】
【００３６】
【図１】握り具の分解斜視図。
【図２】握り具の表面を示す正面図。
【図３】握り具の裏面を示す背面図。
【図４】握り具の側面を示す右側面図。
【図５】握り具を手提げ部に取り付ける途中状態を示す斜視図。
【図６】握り具を手提げ部に取り付けた使用状態を示す斜視図。
【符号の説明】
【００３７】
１…握り具
２…雌側テープ
５…表面カバー
１０…本体
１１…レース
２１…クッション部材
２５…裏面カバー
３１…雄側テープ
Ａ，Ｂ…隙間
【図１】
0003115770.tif 000003
【図２】
0003115770.tif 000004
【図３】
0003115770.tif 000005
【図４】
0003115770.tif 000006
【図５】
0003115770.tif 000007
【図６】
0003115770.tif 000008